(57)【要約】  本発明は、補綴歯を保持する歯科用インプラントの集合体である。集合体は、歯科用インプラントと支台歯とを有している。歯科用インプラントは胴体部と、カラー部と、中央穴とを有している。胴体部は歯科用インプラントの遠端に位置し、患者の顎骨の頂部よりも少なくとも実質的に下方にあるように形成されている。カラー部は、歯科用インプラントの近端に位置し、患者の柔組織の輪郭に適合するほぼ波形の外側縁部を画定する支台歯嵌合面を形成する。中央穴は、カラー部を通ってインプラント胴体部まで延びている。中央穴は、ねじ部とポスト部とを含んでいる。支台歯は、中央穴のポスト部の中に嵌るように形成されたポストと、歯科用インプラントの支台歯嵌合面に嵌るように形成されたインプラント嵌合面を有している。
2005514981.tif 000002
【特許請求の範囲】
【請求項１】
歯科用インプラントの遠端に位置し、患者の顎骨の頂部よりも少なくとも実質的に下方にあるように形成された胴体部と、前記歯科用インプラントの近端に位置し、患者の柔組織の輪郭に適合するように少なくとも一つの頂点と谷部とを持つ外側縁部を画定する頂面を形成するカラー部と、前記カラー部を通って前記のインプラント胴体部まで延び、ねじ部とポスト部とを含む中央穴とを有する歯科用インプラントと、
前記インプラントの前記ポスト部の中に嵌るように形成されたポストを有する支台歯と、
前記支台歯の上部部分の上から嵌るように形成され、前記歯科用インプラントの嵌合面に嵌るように形成されたインプラント嵌合面を持つ最終修復歯とを有している、
補綴歯を保持する歯科用インプラントの集合体。
【請求項２】
前記歯科用インプラントは前記胴体部から前記カラー部に延びる骨付着面を有している、請求項１に記載の集合体。
【請求項３】
前記骨付着面は、前記カラー部に位置し、かつ患者の骨組織の輪郭に適合するように少なくとも一つの頂部と谷部とを有する上方縁部を有している、請求項２に記載の集合体。
【請求項４】
前記上方縁部と前記外側縁部との間の前記カラー部の表面が研磨されている、請求項３に記載の集合体。
【請求項５】
前記骨付着面は、前記カラー部に位置し、かつ患者の骨組織の輪郭に適合するように少なくとも二つの頂部と二つの谷部とを有する上方縁を有している、請求項２に記載の集合体。
【請求項６】
前記上方縁部と前記外側縁部との間の前記カラー部の表面が研磨されている、請求項５に記載の集合体。
【請求項７】
前記外側縁部は、患者の柔組織の輪郭に適合するように、少なくとも二つの頂部と二つの谷部とを有している、請求項１に記載の集合体。
【請求項８】
前記インプラントの前記ポスト部は回転防止機能を有し、前記支台歯の前記ポストは対応する回転防止機能を有している、請求項１に記載の集合体。
【請求項９】
前記回転防止機能と前記対応する回転防止機能は、少なくとも一つの平坦な側面を有している、請求項8に記載の集合体。
【請求項１０】
前記支台歯は肩を備えた穴を有している、請求項１に記載の集合体。
【請求項１１】
ねじ部を有し、かつ前記支台歯を前記インプラントに固定するために前記支台歯を通って前記インプラントの前記ねじ部まで延びるボルトを有している、請求項１０に記載の集合体。
【請求項１２】
歯科用インプラントの遠端に位置し、患者の顎骨の頂部よりも少なくとも実質的に下方にあるように形成された胴体部と、前記歯科用インプラントの近端に位置し、少なくとも一つの頂点と谷部とを持つ外側縁部を画定する嵌合面を形成するカラー部と、前記カラー部を通って前記のインプラント胴体部まで延び、ねじ部とポスト部とを含む中央穴とを有する歯科用インプラントと、
前記中央穴の前記ポスト部の中に嵌るように形成されたポストを有し、上部部分と、前記歯科用インプラントの前記嵌合面に嵌るように形成されたインプラント嵌合面とを含む治癒用支台歯とを有している、
補綴歯を保持する歯科用インプラントの集合体。
【請求項１３】
前記支台歯は、該治療用支台歯を前記歯科用インプラントに取り外し可能に固定する保持部材を有している、請求項１２に記載の集合体。
【請求項１４】
前記保持部材は前記ポストに設けられたＯリングを有している、請求項１３に記載の集合体。
【請求項１５】
前記歯科用インプラントは、前記胴体部から前記カラー部まで延びる骨付着面を有している、請求項１２に記載の集合体。
【請求項１６】
前記骨付着面は、前記カラー部に位置し、かつ、患者の骨組織の輪郭に適合するように少なくとも一つの頂部と谷部とを有する上方縁部を有している、請求項１５に記載の集合体。
【請求項１７】
前記上方縁部と前記外側縁部との間の前記カラー部の表面が研磨されている、請求項１６に記載の集合体。
【請求項１８】
前記骨付着面は、前記カラー部に位置し、かつ患者の骨組織の輪郭に適合するように少なくとも二つの頂部と二つの谷部とを有する上方縁部を有している、請求項１５に記載の集合体。
【請求項１９】
前記上方縁部と前記外側縁部との間の前記カラー部の表面が研磨されている、請求項１５に記載の集合体。
【請求項２０】
前記外側縁部は、患者の柔組織の輪郭に適合するように、少なくとも二つの頂部と二つの谷部とを有している、請求項１２に記載の集合体。
【請求項２１】
歯科用インプラントの遠端に位置し、患者の顎骨の頂部よりも少なくとも実質的に下方にあるように形成された胴体部と、前記歯科用インプラントの近端に位置し、少なくとも一つの頂点と谷部とを持つ外側縁部を画定する支台歯嵌合面を形成するカラー部と、前記カラー部を通って前記のインプラント胴体部まで延び、ねじ部とポスト部とを含む中央穴とを有する歯科用インプラントと、
前記中央穴の前記ポスト部の中に嵌るように形成されたポストと、前記外側縁部の位置を表示する少なくとも一つの深さ標識とを有する挿入工具と、
前記挿入工具の前記ポストと前記中央工具のポスト部との間に、前記歯科用インプラントと前記挿入工具との相対的な回転を防ぐように形成された互いに相補的な嵌合面とを有している、
補綴歯を保持する歯科用インプラントの集合体。
【請求項２２】
前記ポストは、前記挿入工具を前記インプラントに取り外し可能に固定する保持部材を有している、請求項２１に記載の歯科用インプラントの集合体。
【請求項２３】
前記保持部材は前記ポストに設けられたＯリングを有している、請求項２２に記載の集合体。
【発明の詳細な説明】
【技術分野】
【０００１】
本発明は一般的には歯科用インプラントに関し、特に、改良された歯科用インプラント装置に関する。
【背景技術】
【０００２】
インプラント歯科医術は、人工部品を使用した、患者の口の中の１本以上の歯の修復を含んでいる。このような人工部品は典型的には、歯科用インプラントと、歯科用インプラントに固定された補綴歯および／または最終支台歯を有している。一般に、歯の修復過程は三段階で実行される。
【０００３】
段階Ｉは、歯科用インプラントを患者の歯槽骨(すなわち顎骨)に植え込むことを含んでいる。口腔外科医はまず、患者の歯肉組織を切り開いて歯槽骨に到達し、取除かれるべき歯の残部を除去する。次に、植え込まれる歯科用インプラントの幅が入るように、インプラントが固定される歯槽骨の特定の部位が、ドリルおよび／またはリーマによって拡げられる。その後、歯科用インプラントは、典型的にはねじ込みで、その穴の中に挿入される。ただし、歯科用インプラントを顎骨に挿入する他の技術も知られている。
【０００４】
最初にインプラントが骨の中に埋め込まれると、インプラントの内部穴を塞ぐために、仮の治癒用キャップがインプラントの露出した近端の上に固定される。次に、患者の歯肉は、インプラントの部位が治癒しインプラントと骨との望ましい一体化が生じるように、インプラントの上方で縫合される。骨との完全な一体化には、典型的には約４ないし１０ヶ月を要する。
【０００５】
段階ＩＩにおいて、外科医は、患者の歯肉組織を切開して、インプラント固定物に再び到達する。次に、治癒用キャップが取外され、インプラントの近端が露出する。典型的には、印象コーピングがインプラントに取り付けられ、口内におけるインプラントの位置や向きを正確に記録するために、患者の口内の型または印象が採取される。この型または印象は、口内および／またはインプラント部位のプラスターモデルまたは類似物を作り、補綴用交換歯や任意の必要な中間補綴物を作るのに必要な情報を与えるために使用される。段階ＩＩは典型的には、インプラント部位の周辺の患者の歯肉組織の治癒と成長を制御するために、仮の治療用支台歯や他の粘膜貫通物をインプラントに取り付けることによって終了する。修正された手順では、支台歯や他の粘膜貫通物はインプラントと一体に形成され、または、段階Ｉの間にインプラントに取り付けられる。この様な手順では、段階ＩとＩＩは効果的に一つの段階に統合される。
【０００６】
段階ＩＩＩは、化粧用の補綴歯を製作してインプラント固定物に取り付けることを含んでいる。プラスター類似物は、歯科技工士に、インプラント固定物および／または支台歯の周囲の歯に対する向きを含む、患者の口内の模型を提供する。技工士はこの模型に基づいて、最終修復歯を作る。修復過程の最終段階は、仮の支台歯を最終支台歯に取替え、最終修復歯を最終支台歯に取り付けることである。
【０００７】
歯科用インプラントは典型的には、純チタニウム、またはチタニウム合金から製作される。歯科用インプラントは典型的には、胴体部とカラーとを有している。胴体部は歯槽骨の中を延びて歯槽骨と一体化するように形成されている。カラーの頂面は典型的には、顎骨の頂部と同じ高さにある。最終支台歯は典型的には、カラーの頂面上に取り付けられ、歯槽骨の上方の柔組織の中を延びている。上述したように、支台歯は最終補綴歯を支持する。典型的には、カラーの冠部すなわち頂部と、最終支台歯のうち柔組織の中を延びる部分は、機械仕上げまたは研磨された表面を有している。この構成は歯垢や歯石の蓄積を防ぎ、クリーニングを容易にすると、当分野では信じられている。
【発明の開示】
【発明が解決しようとする課題】
【０００８】
本発明の一側面は、身体の自然防御機構によって、約２〜３ミリメートルの柔組織帯が、支台歯・インプラント境界面(すなわち微小間隙)と歯槽骨頂との間に生じやすくなるという認識を含んでいる。この帯域は「生物学的幅」と呼ばれ、歯科用インプラントだけでなく自然歯の周りにも存在する。生物学的幅は典型的には、インプラントの周囲３６０°に延び、歯槽骨頂の冠部となるような、かつ補綴歯冠の縁部の根尖となるような位置に存在する(約２.５〜３ミリメートル)。生物学的幅は、約１ミリメートルの歯肉溝と、約１ミリメートルの上皮付着と、約１ミリメートルの組織結合付着とからなる。従来のインプラントでは、支台歯・インプラント境界面は典型的には、歯槽骨頂と同じ高さにある。このような場合、骨組織は再吸収され、歯槽骨頂は適当な生物学的幅が再確立されるまで後退する。この骨の損失は、美的にも強度的にも望ましくない。
【０００９】
本発明の他の側面は、従来の技術は典型的には、支台歯とインプラントのカラーとの間を平坦な面(すなわち微小間隙)にしているという認識である。しかし、歯槽骨頂の形状は不規則であるため、平らな境界面では、生物学的幅がインプラントの全周３６０°にわたって適切な幅で延びるようにすることは難しい。生物学的幅がインプラントの全周３６０°にわたって適切な幅で延びていないと、望ましくない骨の損失が生じてしまう。
【課題を解決するための手段】
【００１０】
そこで、本発明の一実施態様は補綴歯を保持する歯科用インプラントの集合体を有している。集合体は、歯科用インプラントの遠端に位置した胴体部を有している。胴体部は、患者の顎骨の頂部よりも少なくとも実質的に下方にあるように形成されている。カラー部は、歯科用インプラントの近端に位置している。カラー部は、患者の柔組織の輪郭に適合するように少なくとも一つの頂点と谷部とを持つ外側縁部を画定する頂面を形成する。中央穴は、カラー部を通って前記のインプラント胴体部まで延びている。中央穴は、ねじ部とポスト部とを含んでいる。集合体はまた、インプラントのポスト部の中に嵌るように形成されたポストを有する支台歯を有している。最終修復歯は、支台歯の上部部分の上から嵌るように形成され、前記歯科用インプラントの嵌合面に嵌るように形成されたインプラント嵌合面を有している。
【００１１】
本発明の他の実施態様は、補綴歯を保持する歯科用インプラントの集合体である。集合体は、歯科用インプラントの遠端に位置している。胴体部は、患者の顎骨の頂部よりも少なくとも実質的に下方にあるように形成されている。カラー部は、歯科用インプラントの近端に位置している。カラー部は、ほぼ波形の外側縁部を画定する嵌合面を形成する。中央穴は、カラー部を通ってインプラント胴体部まで延びている。中央穴は、ねじ部とポスト部とを有している。治癒用支台歯は、中央穴のポスト部の中に嵌るように形成されたポストを有し、上部部分と、歯科用インプラントの嵌合面に嵌るように形成されたインプラント嵌合面とを有している。
【００１２】
本発明の他の実施態様は、補綴歯を保持する歯科用インプラントの集合体である。集合体は、歯科用インプラントと挿入工具とを有している。歯科用インプラントは、歯科用インプラントの遠端に位置する胴体部を有している。胴体部は、患者の顎骨の頂部よりも少なくとも実質的に下方にあるように形成される。カラー部は、歯科用インプラントの近端に位置している。カラー部は、少なくとも一つの頂点と谷部とを持つ外側縁部を画定する支台歯嵌合面を形成する。中央穴は、カラー部を通ってインプラント胴体部まで延びている。中央穴は、ねじ部とポスト部とを有している。挿入工具は、中央穴のポスト部の中に嵌るように形成されたポストと、外側縁部の位置を表示する少なくとも一つの深さ標識とを有している。集合体はまた、挿入工具のポストと中央工具のポスト部との間に、相補的な嵌合面を有している。相補的な嵌合面は、歯科用インプラントと挿入工具との相対的な回転を防ぐように形成されている。
【００１３】
本発明と本発明の従来技術に対する利点を要約するため、本発明のいくつかの目的と利点を上記に述べた。もちろん、このような目的または利点のすべてが、本発明のいずれの特定の実施態様においても実現されない場合のあることは理解されるであろう。したがって、当業者は例えば、本発明が、本明細書に教示されまたは示唆されているであろう他の目的または利点を必ずしも実現することなく、本明細書に教示された一つまたは一群の利点を達成しまたは最適化するようなやり方で具体化されまたは実施され得ることを認識するであろう。
【００１４】
これらの実施態様のすべては、ここに開示された本発明の範囲にあることが意図されている。本発明は開示された特定の好ましい実施形態に限定されないが、本発明のこれらの実施態様および他の実施態様は、好ましい実施形態についての、添付図面を参照した以下の詳細な説明から、当業者に容易に明らかとなろう。
【発明を実施するための最良の形態】
【００１５】
本発明のこれらのおよび他の特徴を、発明を図示することを意図し限定することを意図しない実施形態の図面を参照して説明する。
【００１６】
図１Ａ〜１Ｄには、歯科用インプラント１０の一つの実施形態を示す。この実施形態では、インプラント１０は、好ましくは下部部分１４とカラー１６とを含むインプラント本体１２を有している。下部部分１４は好ましくは先細り形状であり、患者の顎骨（図示せず）の孔の内表面に沿って予め作られたねじと噛み合うねじ１８を有している。しかし、下部部分１４は自己ねじ切り方式、または、ねじ無しで形成されてもよいことを理解されたい。同様に、図示された下部部分１４は先細り形状すなわち円錐形であるが、円筒形でもよいことを理解されたい。
【００１７】
図１Ａに最もよく示されているように、下部部分１４は好ましくは、骨との一体化を促進するように形成された骨付着面２０を有している。一実施形態では、骨付着面２０は下部部分１２の表面積を増やす。例えば、骨付着面２０は、例えば酸によるエッチング、砂吹付け、および／または機械仕上げ等の幾つかの異なる方法で下部部分１２をざらざらにすることによって作られることができる。あるいは、骨付着面２０は、下部部分１２の表面積を増やす材料で下側の表面を被覆することによっても作られることができる。三カルシウム燐酸塩(ＴＣＰ）やヒドロキシ燐灰石(ＨＡ)のようなカルシウム燐酸塩が、特に適した材料である。
【００１８】
カラー１６は好ましくは、下部部分１２の上方(すなわち近端)にあり、図示の実施形態では好ましくは、カラー／インプラント境界面２２(図１Ｂ参照)において一体形成され、または永久固定されている。カラー１６の一部は、側壁２４によって画定されている。図示の実施形態においては、側壁２４は約３０°の角度でインプラント１０の縦方向の軸に対して傾斜している。しかし、修正された実施形態では、側壁２４は円筒形または実質的な円筒形でもよい。図示されたカラー１６はまた、実質的に円形断面を有している（図１Ｃ参照）。しかし、修正された実施形態では、カラー１６は円形でない断面を有していてもよい。
【００１９】
図１Ａ〜１Ｃに最もよく示されているように、カラー１６は、頂面２６を有している。以下に詳細に述べるように、頂面２６は最終修復歯を支持することができる。図示された実施形態では、頂面２６の外側縁部２８は、自然に生じる患者の柔組織形態の輪郭の形に従うか、少なくともよく似た、少なくとも１つの、より好ましくは２つの頂部３０と谷部３２とを持った、湾曲したまたは波型の形状を有している。
【００２０】
一実施形態では、外側縁部２８は、自然に生じる柔組織形態の頂面と略同一の高さに位置するように形成されている。このような実施形態では、外側縁部２８の頂部３０は、カラー／本体境界面２２の上方約２〜５ミリメートルにあり、一方、谷部３２は頂部３０の下約１〜５ミリメートルにある。一つの好ましい構成では、頂部３０はカラー／本体境界面２２の上方約４ミリメートルにあり、谷部３２は頂部の下約２ミリメートルにある。図示されていないが、修正された実施形態では、頂部と谷部は異なった高さを有していてもよいことを理解されたい。すなわち、２つの頂部は互いに異なった高さを有していてもよい。同様に、２つの谷部は互いに異なった高さを有していてもよい。
【００２１】
図１Ｂに最もよく示されているように、図示の実施形態では、頂面２６はインプラント１０の縦方向の軸との垂直線に対して斜角を有している。一つの好ましい実施形態では、頂面２６は３０°で斜めにされている。修正された実施形態では、頂面２６は縦方向の軸に対して垂直(すなわち平ら)でもよい。
【００２２】
図１Ａを参照すると、骨組織付着面２０の頂部縁部３４は好ましくは、カラー／インプラント境界面２２の上方へ、カラー１６の上まで延びている。頂部縁部３４は、外側縁部２８と同様、好ましくは、自然に生じる患者の柔組織形態の輪郭の形に従うか、少なくともよく似た、少なくとも１つの、より好ましくは２つの頂部３６と谷部３８とを持った、湾曲したまたは波型の形状を有している。図示の実施形態では、頂部縁部３４の頂部３６および谷部３８は、外側縁部２８の頂部３０および谷部３２と一直線に並んでいる。
【００２３】
図示の構成において、頂部縁部３４の谷部３８は、カラー／インプラント境界面の高さ、または、わずかにその上方にある。頂部３６は谷部の上方約１〜５ミリメートルに設けることができる。一実施形態では、頂部３６は谷部３８の上方約２ミリメートルにある。外側縁部２８と同様、修正された実施形態では、頂部３６と谷部３８とは異なる高さを有していてもよいことを理解されたい。すなわち、２つの頂部３６は互いに異なる高さを有していてもよい。同様に、２つの谷部３８は互いに異なる高さを有していてもよい。
【００２４】
頂部縁部の上方にあるカラー１６の表面３５は、歯垢や歯石の蓄積を減らすために研磨されていてもよい。修正された実施形態では、表面３５は柔組織の付着が促進されるように処理されてもよい。このような処理には、表面面積を増やすために、表面３５をざらざらにしたり、表面３５に被覆を設けることを含んでいてもよい。
【００２５】
図１Ｄを参照すると、インプラント１０は好ましくは、中央穴４０を有している。図示の実施形態では、中央穴４０は、ボルトまたはスクリュー(後述する)のねじ部を受け入れるねじ部４２と、好ましくはねじ部４２に隣接する先細り部４６を含むポスト受け部４４とを有している。ポスト受け部４４は、例えば、平坦な側面、溝、および／または窪み等の回転防止機能を含んでいてもよい。図示の構成では、回転防止機能は、ポスト受け部４４の直径拡大部５０に位置する一対の平坦な側面４８(図１Ｃ参照)を有している。
【００２６】
図２Ａ〜２Ｄには、上述したインプラント１０に嵌まるように形成された支台歯５２を示す。図示の構成では、支台歯５２はインプラント１０のポスト受け部４４の中に嵌るように形成された下部部分５４(図２Ａ参照)を有している。上述したように、ポスト受け部４４は回転防止機能を含んでいてもよい。ポスト受け部４４がこのような回転防止機能を含んでいる場合、下部部分５４は、支台歯５２がインプラント本体１０に対して回転することを防止するための対応する構造を含んでいるのが好ましい。従って、図示の実施形態の下部部分５４は、下部部分５４（図２Ａ）の拡大直径部５８の面上に一対の平坦な側面５６(図２Ｃ)を有している。
【００２７】
図２Ｄに最もよく示されているように、支台歯５２は好ましくは、肩６２を備えた中心貫通穴６０を有している。中心穴６０と肩６２は、図３Ａ、３Ｂに示されたボルトを受け入れるように形成されている。
【００２８】
さて、図３Ａ、３Ｂを参照すると、結合ねじ１００は、穴６０を通って延び、支台歯５２をインプラント１０に結合するような大きさおよび寸法に形成されている。結合ねじ１００は、外側にねじを切られた下部部分１０２を有している。ねじを切られた下部部分１０２は、インプラント１０のねじを切られた空洞４２のねじと噛み合うような大きさおよび寸法に形成されている。結合ねじ１００はまた、ねじ１００の頭部１０６の中に設けられた六角形の凹部１０４を含んでいることが有利である。六角形の凹部１０４を設けることによって、結合ねじ１００に回転力を与えるために用いることができる通常のアレン（登録商標）レンチのような六角形の工具を挿入することができる。
【００２９】
再び図２Ａを参照すると、支台歯５２は、下部部分５４がインプラント１０内にあるとき、インプラント１０の頂面２６より上方にあるように形成された上部部分６４を有している。上部部分６４は、例えば最終修復歯および／または他の歯科用部品等の、種々の歯科用部品を支持するために、種々の形に形成されることができる。図示の実施形態では、上部部分６４は僅かに傾斜した略円筒形の形状である。
【００３０】
図４Ａ〜４Ｂには、上述したインプラント１０と支台歯５２と共に使用することができる最終修復歯６６を示す。最終修復歯６６は、支台歯５２の上部部分６４の上に嵌まるように形成された内側表面(図示せず)を有している。また、最終修復歯６６は好ましくは、インプラント１０の頂面２６に嵌るように形成された下側表面６８を有している。下側表面６８は好ましくは、最終修復歯６６が支台歯５２の頂部に固定され、インプラントの側壁２４と最終修復歯６６の外側面７０とが滑らかにつながるように形成されている。すなわち、頂面２６の外側縁部２８の寸法および輪郭は、最終修復歯６６の下側表面６８の外側縁部７２の寸法および輪郭とよく合致していることが好ましい。
【００３１】
上述した実施形態は、いくつかの利点を持つ。例えば、図示のインプラント１０は、自然に生じる患者の柔組織形態の輪郭の形に従う骨付着面２０を有している。この構成は、歯槽骨の損失を減らす。同様に、最終修復歯６６と歯科用インプラント１０との境界は、自然に生じる患者の柔組織形態の輪郭の形に従っている。この構成は、骨組織の上方の組織の均一な成長を促進し、柔組織の上まで延びる歯科用インプラント１０の量を最小化する。これに対し、従来のインプラントでは、歯科用インプラントのかなりの部分が柔組織の上まで延び、歯肉組織内に望ましくない「影」を生じる可能性があった。加えて、インプラントの頂面２６と最終修復歯６６の下側表面６８との接触面の相互作用によって、さらに最終修復歯６６と歯科用インプラント１０との間の回転防止が図られる。
【００３２】
図５Ａ〜５Ｄには、上述したインプラント１０に嵌まるように同様に形成された治癒用キャップ７４を示す。治癒用キャップ７４は、例えば、段階Ｉおよび／またはＩＩの治療後の治癒期間中に、歯科用インプラント１０を覆うために用いることができる。
【００３３】
治癒用キャップ７４は、歯科用インプラント１０のポスト受け部４４の中に嵌るように形成されたポスト７６を有している。治癒用キャップ７４は好ましくは、肩８０を備えた中央穴７８を有している。中央穴７８と肩８０は、上述したボルト１００のようなボルトを受け入れるように形成される。ボルト１００は、治癒用キャップを歯科用インプラント１０に固定するために、ねじ部４２の中を延びることができる。
【００３４】
治癒用キャップ７４は好ましくは、歯科用インプラント１０の頂面２６に嵌るように形成された底面８２(図５Ｄ参照)を有している。修復歯と同様、頂面２６と底面８２は好ましくは、治癒用キャップ７４が歯科用インプラント１０に固定されたときに、インプラント１０と治癒用キャップ７４の外側面同士とが滑らかにつながるように形成されている。治癒用キャップ７４の上面７５は種々の形状を取ることができる。例えば、図示の実施形態では、治癒用キャップ７４の上面７５は、段階ＩＩの治療中に患者の歯肉を形作るように形成されている。修正された実施形態では、治癒用キャップ７４の上面７５は、例えば、段階Ｉの治療後にインプラントの部位を治癒し、骨との望ましい一体化が図れるように、インプラント１０の上方の患者の組織を容易に縫合できるように形成されている。
【００３５】
図示の実施形態では、ポスト７６は、歯科用インプラント１０の中央穴４０と取外し可能にかみ合うように形成された、取外し可能な保持機能９０を有している。ポスト７６は、たとえば、歯科用インプラント１０と治癒用の支台歯との間に取外し可能な保持力を発生させる、たとえば先のとがった板や圧縮性材料のような、種々の取外し可能な保持機能を有することができる。図示の実施形態では、取外し可能な保持部９０は、環状の凸部と凹部９１の間に設けられた弾力性のあるＯリング（図５Ａに断面で示す）を有している。Ｏリングは中央穴の内表面に、摩擦または締まりばめによって嵌るように形成されている。このようにして、歯科開業医は、治癒用キャップ７４をインプラント１０に一時的に取り付けることができる。歯科開業医は、次に両手を使ってボルト１００と駆動工具とを操作して、治癒用キャップ７４をインプラント１０に固定することができる。
【００３６】
図６Ａ、６Ｂには、上述した歯科用インプラントを患者の顎骨に挿入するのに用いられる挿入工具１１０を示す。挿入工具１１０はインプラントのポスト受け室４４の中に嵌るように形成されたポスト１１２を有している。上述したように、ポスト受け室４４は回転防止機能４８を含んでいてもよい。ポスト受け室４４がこのような回転防止機能４８を含む場合、ポスト１１２は、挿入工具１１０がインプラント本体１０に対して回転することを防止するための対応する構造を含んでいるのが好ましい。図示の実施形態では、ポスト１１２は、挿入工具１１０と歯科用インプラント１０との間の相対回転を防止するために、ポスト受け室４４の中の２つの平坦な側面壁４８に対応する、２つの平坦な側面１１４を含んでいる。
【００３７】
挿入工具１１０は、トルク受け部１１４を有している。トルク受け部１１４は、トルク工具（たとえばレンチ）からのトルクを挿入工具１１０に伝えるように形成されている。この様にして、工具により発生されたトルクは、挿入工具を通じて歯科用インプラント１０に伝えられることができる。図示の実施形態では、トルク受け部１１４は、六角形断面を有している。トルク受け部１１４は、トルク工具と挿入工具との間の回転防止を図るという目的を十分に考慮した、高い効率で使用できる他の種々の適切な形状に形成できることを理解されたい。例えば、トルク受け部１１４は、１以上の半径方向内側または外側に延びるスプラインまたは窪み、平面、多角形形状や、回転防止の可能な他の互いに相補的な表面構造を有していてもよい。
【００３８】
図示の挿入工具１１０はまた、市販されているハンドピースドリルの中に嵌るように形状および寸法が形成されたハンドピース受入部１１６を有している、典型的には、ハンドピース受入部１１６は、図６Ａ、６Ｂに示されたＤ型形状のキー１１８を有しているであろう。したがって、ハンドピース受入部１１６は、トルクがハンドピースから挿入工具１１０に伝わるように、回転できない状態でハンドピースの中に固定されることができる。好ましい実施形態ではＤ型形状のキーが使われるが、ハンドピースと係合したときに、キーによって、挿入工具１１０のハンドピースに対する回転やハンドピースからの脱落が防止される限り、キーは他の形状に形成されてもよいことを理解されたい。
【００３９】
挿入工具１１０は、複数の深さ標識１２０を有している。図示の実施形態では、深さ標識１２０は環状の溝を有している。深さ標識１２０は、他の実施形態において、例えばレーザエッチング、ペイント、突起等の種々の他の方法で形成されてもよい。深さ標識１２０は、患者の顎骨に歯科用インプラント１０を挿入するときに、歯科開業医に目安を与えるために用いられることができる。例えば、深さ標識１２０は好ましくは、インプラントの頂部から歯肉の頂部までの距離を表示するように、一定の間隔で配置される。この様にして、歯肉組織の厚みは、深さの目安として組織の皮弁を採取するために隣接／近接する組織のまわりを切開する必要なしに測定されることができる。あるいは、歯槽骨頂の位置を測るために、挿入工具１１０に沿って探針を用いてもよい。このような構成では、歯肉組織の厚みは、深さ標識１２０を参照することによって測定され、歯科用インプラント１０は、歯槽骨頂と歯肉組織の頂部に対して適切に設置されることができる。
【００４０】
支台歯５４と同様、挿入工具１１０のポスト１１２は、好ましくは、歯科用インプラント１０の中央穴４０に取外し可能に嵌るように形成された、取外し可能な保持機能１２２を有している。ポスト１１２は、たとえば、歯科用インプラント１０と挿入工具１１０との間に取外し可能な保持力を発生させる、たとえば先のとがった板や圧縮性材料のような、種々の取外し可能な保持機能を有することができる。図示の実施形態では、取外し可能な保持部１２２は、環状の凸部と凹部１２４の間に設けられた弾力性のあるＯリング１２２（図６Ａ、６Ｂに断面で示す）を有している。Ｏリング１２２は中央穴の内表面に、摩擦または締まりばめによって嵌るように形成されている。このようにして、歯科開業医は、インプラントを包装や容器から取り出すために、挿入工具１１０を一時的に歯科用インプラント１０に取り付けることができる。
【００４１】
本発明をいくつかの好適な実施形態と実例の文脈で開示したが、本発明は、明確に開示された実施形態に止まらず、他の実施形態、および／または、本発明と、その明白な修正と、それらの等価物の使用にも及ぶことを当業者は理解されたい。また、本発明の幾つかの変形例が示され、詳細に記述されたが、本発明の範囲にある他の修正も、この開示に基づけば当業者にとって容易に明白となるであろうことを理解されたい。各実施形態の固有の特徴や側面を種々に組み合わせ、部分的に組み合わせることも可能であり、それらはなお本発明の範囲に入るものと考えられる。従って、開示された実施形態の種々の特徴や側面は、開示された発明の種々の形態を作るために、互いに結合され、または互いに代替できることを理解されたい。このように、ここに開示された本発明の範囲は、上述の明確に開示された実施形態に限定されるべきでなく、特許請求の範囲を公正に読むことによってのみ決められるべきであることが意図されている。
【図面の簡単な説明】
【００４２】
【図１Ａ】歯科用インプラントの正面図である。
【図１Ｂ】図１Ａの歯科用インプラントの、ネジを表示しない側面図である。
【図１Ｃ】図１Ａの歯科用インプラントの平面図である。
【図１Ｄ】１Ｄ‐１Ｄ線に沿った、図１Ａの歯科用インプラントの断面図である。
【図２Ａ】図１Ａの歯科用インプラントに嵌まるように形成された支台歯の正面図である。
【図２Ｂ】図２Ａの支台歯の平面図である。
【図２Ｃ】図２Ａの支台歯の底面図である。
【図２Ｄ】２Ｄ‐２Ｄ線に沿った、図２Ａの支台歯の断面図である。
【図３Ａ】連結ボルトの側面図である。
【図３Ｂ】図３Ａの連結ボルトの平面図である。
【図４Ａ】図１Ａの歯科用インプラントと嵌まるように形成された最終修復歯の正面図である。
【図４Ｂ】図４Ａの最終修復歯の側面図である。
【図５Ａ】治癒用キャップの正面図である。
【図５Ｂ】図５Ａの治癒用キャップの平面図である。
【図５Ｃ】図５Ａの治癒用キャップの側面図である。
【図５Ｄ】５Ｄ‐５Ｄ線に沿った、図５Ａの治癒用キャップの断面図である。
【図６Ａ】挿入工具の側面図である。
【図６Ｂ】挿入工具の正面図である。
【図１Ａ】
2005514981.tif 000003
【図１Ｂ】
2005514981.tif 000004
【図１Ｃ】
2005514981.tif 000005
【図１Ｄ】
2005514981.tif 000006
【図２Ａ】
2005514981.tif 000007
【図２Ｂ】
2005514981.tif 000008
【図２Ｃ】
2005514981.tif 000009
【図２Ｄ】
2005514981.tif 000010
【図３Ａ】
2005514981.tif 000011
【図３Ｂ】
2005514981.tif 000012
【図４Ａ】
2005514981.tif 000013
【図４Ｂ】
2005514981.tif 000014
【図５Ａ】
2005514981.tif 000015
【図５Ｂ】
2005514981.tif 000016
【図５Ｃ】
2005514981.tif 000017
【図５Ｄ】
2005514981.tif 000018
【図６Ａ】
2005514981.tif 000019
【図６Ｂ】
2005514981.tif 000020
【国際調査報告】
2005514981.tif 000021
2005514981.tif 000022